【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
電気デバイスを待機電力モードからアクティブ化する方法であって、
（ａ）待機電力モードにあるときに、前記電気デバイスにおいてオーディオ・ストリームを受けるステップと、
（ｂ）待機電力モードにあるときに、前記オーディオ・ストリームをオーディオ・パターンにディジタル化するステップと、
（ｃ）待機電力モードにあるときに、前記ステップ（ｂ）においてディジタル化した前記オーディオ・パターンを、不揮発性メモリに格納されたディジタル化したアクティブ化フレーズと比較するステップと、
（ｄ）前記オーディオ・パターンが前記アクティブ化フレーズと既定の許容度の範囲内で一致した場合に、前記電気デバイスをアクティブ化するステップと、
（ｅ）前記ステップ（ｄ）において前記電気デバイスをアクティブ化した後に、アクティブ化されたときに前記電気デバイスに利用可能なリソースを用いて、前記オーディオ・パターンが前記アクティブ化フレーズと一致したことを確認するステップと
を含む、方法。
【請求項２】
請求項１記載の方法において、マイクロフォンが、前記ステップ（ａ）のオーディオ・ストリームのために、継続的に周囲環境を監視する、方法。
【請求項３】
請求項１記載の方法であって、更に、前記ディジタル化したオーディオ・パターンのディジタル化したアクティブ化フレーズとの比較に先立って、前記受け取ったオーディオ・ストリームからノイズを除波するステップを含む、方法。
【請求項４】
請求項３記載の方法において、前記除波するステップがマルチチャネル・ノイズ・エコー・キャンセレーションを含む、方法。
【請求項５】
請求項１記載の方法であって、更に、前記ディジタル化したオーディオ・パターンを処理するステップを含む、方法。
【請求項６】
請求項５記載の方法において、前記ディジタル化したオーディオ・パターンを処理するステップが、前記ディジタル化したオーディオ・パターンの前記ディジタル化したアクティブ化パターンとの比較に先立って生じる、方法。
【請求項７】
請求項５記載の方法において、前記ディジタル化したオーディオ・パターンの処理は、前記ステップ（ｃ）での比較が、前記既定の許容度の範囲内で一致するパターンを識別できなかった後にのみ生じる、方法。
【請求項８】
請求項５記載の方法において、前記ディジタル化したオーディオ・パターンの処理が、前記ディジタル化したオーディオ・パターンを時間的に伸張および収縮することを含む、方法。
【請求項９】
請求項１記載の方法において、前記ディジタル化したアクティブ化パターンが、ユーザーによる前記電気デバイスの初期使用の前に、前記電気デバイスの不揮発性メモリに格納される、方法。
【請求項１０】
請求項１記載の方法において、前記ディジタル化したアクティブ化パターンが、前記電気デバイスによって促されたときにユーザーによって選択される、方法。
【請求項１１】
電気デバイスを待機電力モードからアクティブ化するための待機アクティブ化システムであって、
１つ以上のマイクロフォンの近傍においてオーディオ・ストリームを検出する当該１つ以上のマイクロフォンと、
待機アクティブ化ユニットであって、
１つ以上の格納されたアクティブ化パターンを含む不揮発性メモリと、
待機電力モードにおいて前記電気デバイスに利用可能な電力を用いて、前記１つ以上のマイクロフォンから受けたディジタル化したオーディオ・パターンを、前記不揮発性メモリに格納された前記１つ以上の格納アクティブ化パターンと比較するプロセッサーであって、前記ディジタル化したオーディオ・パターンが、前記不揮発性メモリに格納された前記１つ以上のアクティブ化フレーズの内１つのアクティブ化フレーズと、既定の許容度の範囲内で一致した場合に、前記デバイスをアクティブ化し、アクティブ化されたときに前記電気デバイスに利用可能なリソースは、前記オーディオ・ストリームが発話されたアクティブ化命令でなかったと確認した場合に、アクティブ化に応じて前記電気デバイスを待機電力モードに戻す、プロセッサーと、
を含む、待機アクティブ化ユニットと
を含む、待機アクティブ化システム。
【請求項１２】
請求項１１記載の待機アクティブ化システムにおいて、待機電力モードにおいて前記ディジタル化したオーディオ・パターンを前記１つ以上の格納されたアクティブ化パターンと比較する前記プロセッサーが第１プロセッサーであり、前記電気デバイスが、前記第１プロセッサーとは別個に、当該電気デバイスがアクティブ化された最大電力モードで動作するときに当該電気デバイスの機能を制御する第２プロセッサーを含む、待機アクティブ化システム。
【請求項１３】
請求項１１記載の待機アクティブ化システムにおいて、１つ以上の格納されたアクティブ化パターンを含む前記不揮発性メモリが第１不揮発性メモリであり、前記電気デバイスが、前記第１不揮発性メモリとは別個に、当該電気デバイスがアクティブ化された最大電力モードで動作するときに用いられる、当該電気デバイスのデータを格納する第２不揮発性メモリを含む、待機アクティブ化システム。
【請求項１４】
請求項１１記載の待機アクティブ化システムにおいて、前記不揮発性メモリおよび前記プロセッサーが、チップ上システムとして前記電気デバイスに集積化される、待機アクティブ化システム。
【請求項１５】
請求項１１記載の待機アクティブ化システムにおいて、待機電力モードにある前記電気デバイスに利用可能な電力が０．３ワットと５．０ワットの間である、待機アクティブ化システム。
【請求項１６】
請求項１１記載の待機アクティブ化システムにおいて、待機電力モードにおいて前記電気デバイスに利用可能な電力が０．５ワットである、待機アクティブ化システム。
【請求項１７】
ＮＵＩシステムの計算デバイスを待機電力モードからアクティブ化するための方法であって、
（ａ）待機電力モードにあるときに前記ＮＵＩシステムに関連付けられた１つ以上のマイクロフォンにおいてオーディオ・ストリームを受けるステップと、
（ｂ）待機電力モードにあるときに前記オーディオ・ストリームをオーディオ・パターンにディジタル化するステップと、
（ｃ）待機電力モードにあるときに、前記ディジタル化したオーディオ・ストリームと前記計算デバイスの不揮発性メモリに格納された１つ以上のディジタル化したアクティブ化フレーズとの照合を容易にするために、前記ディジタル化したオーディオ・ストリームを処理するステップと、
（ｄ）待機電力モードにあるときに、前記ステップ（ｃ）において処理された前記オーディオ・パターンを、前記計算デバイスの不揮発性メモリに格納された１つ以上のディジタル化したアクティブ化フレーズと比較するステップと、
（ｅ）前記オーディオ・パターンが前記１つ以上のアクティブ化フレーズの内１つのアクティブ化フレーズと既定の許容度の範囲内で一致した場合に、前記計算デバイスをアクティブ化するステップと、
（ｆ）前記オーディオ・パターンおよび前記アクティブ化フレーズの間の一致に応じて、前記ステップ（ｅ）において前記計算デバイスをアクティブ化した後に、アクティブ化が意図されたかどうか確認するステップであって、前記計算デバイスの完全なアクティブ化に応じて前記計算デバイスに利用可能な音声認識エンジンを用いる、ステップと
を含む、方法。
【請求項１８】
請求項１７記載の方法であって、更に、１つ以上のユーザーが、前記不揮発性メモリに格納された前記アクティブ化フレーズを生成するステップであって、アクティブ化した最大電力モードで前記計算デバイスが起動している間に生じるステップを含む、方法。